(57)【要約】【課題】サージ電圧に対する保護機能を有し、且つ簡易な構造で小型化することが可能なコンデンサ内蔵型のキャンドモータ、及び液中ポンプを提供する。【解決手段】液中ポンプを駆動するためのキャンドモータが提案される。キャンドモータは、円筒状のモータフレームと、前記モータフレームの内部に設置される円筒状のキャンと、前記モータフレームと前記キャンとの間のステータ室に配置されるステータと、前記ステータ室に配置されるコンデンサと、前記ステータ室に配置されるアレスタと、を備える。【選択図】図２
2020103011.tif 000002
【特許請求の範囲】
【請求項１】
液中ポンプを駆動するためのキャンドモータであって、
円筒状のモータフレームと、
前記モータフレームの内部に設置される円筒状のキャンと、
前記モータフレームと前記キャンとの間のステータ室に配置されるステータと、
前記ステータ室に配置されるコンデンサと、
前記ステータ室に配置されるアレスタと、
を備えるキャンドモータ。
【請求項２】
前記アレスタと前記コンデンサとは、互いに少なくとも一部が同じ高さに位置する、請求項１に記載のキャンドモータ。
【請求項３】
前記コンデンサは、周方向における一部が切り欠かれた環状であり、
前記アレスタは、前記コンデンサが切り欠かれている領域に設けられる、
請求項１又は２に記載のキャンドモータ。
【請求項４】
前記コンデンサは、環状であり、
前記アレスタは、前記コンデンサの内部に挿通される、
請求項１又は２に記載のキャンドモータ。
【請求項５】
前記アレスタは、電力供給用のコネクタ端子部と一体化されている、請求項１から４の何れか１項に記載のキャンドモータ。
【請求項６】
前記コンデンサは、前記コネクタ端子部に固定される、請求項５に記載のキャンドモータ。
【請求項７】
前記アレスタと前記コンデンサとは、一体化されている、請求項１から６の何れか１項に記載のキャンドモータ。
【請求項８】
前記アレスタと前記コンデンサとの両方を支持する支持台を更に備える、請求項７に記載のキャンドモータ。
【請求項９】
前記ステータ室に配置され、前記アレスタと前記コンデンサとの少なくとも一方と一体化された制御基板を有する制御部を備える、請求項１から８の何れか１項に記載のキャンドモータ。
【請求項１０】
前記アレスタと前記コンデンサとは、前記ステータの上方に設けられる、請求項１から９の何れか１項に記載のキャンドモータ。
【請求項１１】
前記コンデンサと前記ステータとの間に配置される断熱材を更に備える、請求項１から１０の何れか１項に記載のキャンドモータ。
【請求項１２】
請求項１から１１の何れか１項に記載のキャンドモータと、当該キャンドモータに連結されるポンプとを備える、液中ポンプ。
【発明の詳細な説明】
【技術分野】
【０００１】
本発明は、キャンドモータ、及び液中ポンプに関する。
【背景技術】
【０００２】
従来から、深井戸等から取水するためのポンプとして、井戸に沿って鉛直方向に設置される細長い液中ポンプが用いられている。この液中ポンプは、水を汲み上げるためのポンプ本体と、このポンプ本体を駆動するためのモータとを備えている。モータとしては、ステータ室とロータ室とがキャンで分離された、いわゆるキャンドモータが用いられる場合がある。深井戸用の液中ポンプにおいては、一般的にキャンドモータが下方に配置されると共に、ポンプ本体が上方に配置され、両者が直接連結されている。
【０００３】
液中ポンプでは、モータを始動させ、且つ運転性能を向上させる為に、コンデンサを使用する場合がある。こうしたコンデンサは、液中ポンプの外部（地上）に設置されたり、キャンドモータに内蔵されたりする。後者の一例として、キャンドモータのステータ室内にコンデンサが配置されたキャンドモータが知られている。モータフレーム、キャン、及びフレーム側板によって画定されるステータ室内にステータ巻線およびコンデンサが内蔵されることにより、コンデンサ用の配電盤が不要となる。このように、コンデンサを内蔵したキャンドモータは、電源接続の利便性を高くすることができ、設置が容易であると共に装置全体の小型化を図ることができる。
【先行技術文献】
【特許文献】
【０００４】
【特許文献１】米国特許第６３５９３５３号明細書
【発明の概要】
【発明が解決しようとする課題】
【０００５】
上記した液中ポンプ、及び液中ポンプを駆動するためのキャンドモータは、深井戸から取水するためなど、屋外に設置されて使用されることが多い。このため、雷や電波干渉が生じた際にはキャンドモータにサージ電圧が作用するおそれがある。また、こうしたキャンドモータにおいては、取り扱いの容易等のために小型化することが望まれている。
【０００６】
本発明は上記した問題に鑑みてなされたものであり、サージ電圧に対する保護機能を有し、且つ簡易な構造で小型化することが可能なコンデンサ内蔵型のキャンドモータ、及び液中ポンプを提供することを目的とする。
【課題を解決するための手段】
【０００７】
本発明の一形態によれば、液中ポンプを駆動するためのキャンドモータが提案され、前記キャンドモータは、円筒状のモータフレームと、前記モータフレームの内部に設置される円筒状のキャンと、前記モータフレームと前記キャンとの間のステータ室に配置されるステータと、前記ステータ室に配置されるコンデンサと、前記ステータ室に配置されるアレスタと、を備える。こうしたキャンドモータによれば、アレスタによってサージ電圧に対する保護機能を有する。そして、アレスタがステータ室に配置されていることにより、簡易な構造でキャンドモータの小型化を図ることができる。
【図面の簡単な説明】
【０００８】
【図１】本実施形態の液中ポンプ装置の外観を示す図である。
【図２】本実施形態のキャンドモータの断面を示す図である。
【図３】キャンドモータにおける電気的接続を示す回路図である。
【図４】第１実施形態のアレスタ及びコンデンサを示す図である。
【図５】第１実施形態のコンデンサを示す図である。
【図６】第１実施形態のアレスタを示す図である。
【図７】第２実施形態のアレスタ及びコンデンサを示す図である。
【発明を実施するための形態】
【０００９】
以下、本発明の一実施形態を図面に基づいて詳細に説明する。なお、以下の説明はあくまでも一例を示すものであって、本願発明の技術的範囲を以下の実施形態に限定する趣旨ではない。また、各実施形態を構成する構成要素は任意に組み合わせることが可能であり、以下に説明する組み合わせに限定されるものではない。
【００１０】
［液中ポンプ装置］
図１は、本実施形態の液中ポンプ装置の外観を示す図である。図１に示すように、液中ポンプ装置５００は、液封式のキャンドモータ１０と、キャンドモータ１０に接続された液中ポンプ２００と、を備える。この液中ポンプ装置５００は、一例として深井戸の水を汲み上げるのに用いられる。
【００１１】
液中ポンプ２００は、キャンドモータ１０の出力軸６３に接続された駆動軸２０２と、駆動軸２０２に取り付けられた複数枚の羽根２０４と、を有している。液中ポンプ２００は、キャンドモータ１０の出力軸６３の回転駆動に伴って駆動軸２０２及び羽根２０４が回転し、これによって水を汲み上げる。
【００１２】
［キャンドモータの全体構成］
図２は、本実施形態のキャンドモータの断面を示す図である。図２に示すように、キャンドモータ１０は、出力軸６３と一体に回転するロータ６１と、ロータ６１の外周側に配置されるステータ５１と、コンデンサ４１と、アレスタ４４とを有する。また、キャンドモータ１０は、モータフレーム１１と、キャン２１と、フレーム側板１３ａ，１３ｂと、ブラケット１５ａ，１５ｂと、を有する。
【００１３】
モータフレーム１１は、円筒状であり、キャンドモータ１０の外側面を画定する。モータフレーム１１の内周側には、ステータ５１が固定される。また、ステータ５１の内周側には、薄肉の円筒状のキャン２１が配置される。モータフレーム１１とキャン２１とは、同一の円筒軸ＣＡを中心とした同心状に配置される。ステータ５１の円筒軸ＣＡ方向の両側には、負荷側（上方）と反負荷側（下方）のフレーム側板１３ａ，１３ｂが配置される。フレーム側板１３ａ，１３ｂは、高さが低く肉厚の円筒形状であり、円筒軸ＣＡに沿って見て、略真円の外周面および略真円の内周面を有する。フレーム側板１３ａ，１３ｂは、モータフレーム１１の内周面と、キャン２１の外周面とに挟まれるように配置され、溶接部ａ１，ａ２，ｂ１，ｂ２で固定されている。言い換えれば、フレーム側板１３ａ，１３ｂは、キャン２１の円筒軸ＣＡ方向両端の外周側に配置される。そして、モータフレーム１１と、キャン２１と、フレーム側板１３ａ，１３ｂとによって、ステータ５１が配置されるステータ室３１が形成される。こうした構成により、ステータ室３１が完全に密封されたキャンド構造となり、外部からの液体等の侵入が防止される。
【００１４】
ステータ室３１には、ステータ５１と、コンデンサ４１と、アレスタ４４（避雷器）と、コンデンサ４１及びアレスタ４４を支持するための支持台４８とが設置されている。ステータ５１は、円筒状のステータコア５２とステータ巻線５５とを有し、モータフレーム１１の内周面に取り付けられている。ステータコア５２の上下両端部には、上方及び下方ステータ巻線端５５ａ、５５ｂが突出しており、これらの各ステータ巻線端５５ａ、５５ｂが発熱源となる。ステータ５１の上方には支持台４８が設けられている。支持台４８に
は、図示しない外部電源およびコンデンサ４１と、ステータ５１と、を電気的に接続するための端子部５０が設けられている。支持台４８の更に上方にはコンデンサ４１とアレスタ４４とが配置され、これらは支持台４８によって支持される。
【００１５】
アレスタ４４は、コンデンサ４１及びステータ５１にサージ電圧が作用することを抑制するために設けられている。アレスタ４４としては、公知である種々のアレスタを採用することができる。本実施形態のアレスタ４４は、図示しない外部電源からの電源配線とグラウンドとに接続され、落雷などキャンドモータ１０にサージ電圧が作用したときに短絡することにより、コンデンサ４１及びステータ５１をサージ電圧から保護する。
【００１６】
支持台４８は、コンデンサ４１の下面の形状に対応した支持面を有するとよい。これにより、コンデンサ４１の位置決めが容易となる。また、支持台４８は、コンデンサ４１から生じる熱をモータフレーム１１とキャン２１との少なくとも一方に伝達して発散できるように、熱伝導性が高い金属または樹脂などで形成されるとよい。
【００１７】
コンデンサ４１と支持台４８とは、コンデンサユニット４０が支持台４８に支持されたときに互いに係合する係合部を有するとよい。係合部は、コンデンサ４１と支持台４８とが円筒軸ＣＡ方向に離れるのを防止するように構成されてもよい。一例として、コンデンサ４１に第１の嵌合部が設けられ、支持台４８に第１の嵌合部に対応する第２の嵌合部が設けられ、第１及び第２の嵌合部が互いに嵌合するものとしてもよい。また、ボルト等の締結具によって、コンデンサ４１と支持台４８とが係合されてもよい。さらに、接着剤によってコンデンサ４１と支持台４８とが固定されてもよい。なお、コンデンサ４１は、支持台４８に支持された状態で、樹脂などが封入されて固定されてもよい。
【００１８】
また、支持台４８は、コンデンサ４１とステータ５１との間に位置する断熱材４９を有している。断熱材４９としては、公知の断熱材を用いることができ、例えば芳香族ポリアミドにロックウールを組み合わせて板状にしたようなものが考えられる。断熱材４９の厚さは、設置位置のスペースの問題や加工性を考慮して、０．５mmから１．０mm程度が適当である。但し、これ以外の厚さであっても利用することは可能である。断熱材４９は、ステータ室３１に配置できるように、環状の形状を有している。こうした断熱材４９により、ステータ５１からの熱がコンデンサ４１に作用することを抑制できる。なお、本実施形態では、断熱材４９が支持台４８に設けられるものとしたが、これに代えて、又は加えて、断熱材は、コンデンサ４１と一体化されていてもよい。
【００１９】
上方及び下方フレーム側板１３ａ，１３ｂのステータ室３１よりも円筒軸ＣＡ方向の外側には、それぞれ負荷側（上方）と反負荷側（下方）のブラケット１５ａ，１５ｂがボルト１７ａ，１７ｂによってモータフレーム１１に固定されている。ブラケット１５ａ，１５ｂは、フレーム側板１３ａ，１３ｂとの隙間をシールするためのＯリング８１ａ，８１ｂを備える。ブラケット１５ａ，１５ｂとキャン２１とによって、キャン２１の内側には、ロータ６１が配置されるロータ室が形成される。ロータ室には封入液６５が充填されている。ロータ室内の封入液６５は、外圧への対策、各軸受１９ａ〜１９ｃの潤滑及び冷却として機能する。
【００２０】
負荷側のブラケット１５ａには、出力軸６３を軸支するためのラジアル軸受１９ａが設けられている。また、負荷側のブラケット１５ａには、出力軸６３が貫通可能な貫通孔が形成されている。貫通孔には、封入液が外部に漏れたり、キャンドモータ１０の外部の水等がキャンドモータ１０の内部へ侵入したりするのを防止する軸封機構８３が設けられている。出力軸６３は、貫通孔を通ってキャンドモータ１０の外部へ突出し、液中ポンプ２００の駆動軸２０２と接続される。なお、出力軸６３には、液中ポンプ２００の駆動軸２０２と接続するためのスプラインまたはキーが形成されている。反負荷側のブラケット１
５ｂには、出力軸６３を軸支するためのラジアル軸受１９ｂ、及びスラスト軸受１９ｃが設けられている。また、反負荷側のブラケット１５ｂには、ロータ室内の圧力変動を吸収するダイヤフラム等の調圧機構８５が設けられている。
【００２１】
また、上方フレーム側板１３ａには、電源コネクタ端子７１が取り付けられている。この電源コネクタ端子７１は、外部電源（図示略）からステータ５１とコンデンサ４１に電力を供給するためのものである。なお、図１に示す例では、電源コネクタ端子７１は、アレスタ４４又はコンデンサ４１と別の部材として構成されるものとしたが、アレスタ４４とコンデンサ４１との少なくとも一方と一体化されていてもよい。こうすれば、キャンドモータ１０の部品点数を減らすことができ、キャンドモータ１０の組み立てを容易にすることができる。
【００２２】
［キャンドモータの回路図］
次に、図３に基づいて、キャンドモータ１０における電気的接続を示す回路図について説明する。本実施形態のキャンドモータ１０は単相ＰＳＣモータである。このキャンドモータ１０のステータ巻線５５は、主巻線５６と補巻線５７の各一組で構成されている。また、ステータ室３１に設けられるアレスタ４４は、２本の電源配線とグラウンドＧＮＤとを接続するアレスタ４５、４６を有している。なお、図３では、巻線保護用のプロテクタ８６（図２では不図示）が示されている。プロテクタ８６は、公知の保護回路を採用することができ、コンデンサ４１とアレスタ４４とステータ５１との少なくとも１つと一体化されていてもよい。
【００２３】
図３に示すように、電源コネクタ端子７１は、図示しない外部電源からの２本の電源配線Ｕ、ＶとグラウンドＧＮＤとに接続される。アレスタ４５は、一方の電源配線Ｕに接続される配線７２と、グラウンドＧＮＤとに接続される。また、アレスタ４６は、他方の電源配線Ｖに接続される７３と、グラウンドＧＮＤとに接続される。電源配線Ｖに接続される配線７３は、分岐されてと主巻線５６とコンデンサ４１とのそれぞれに接続される。コンデンサ４１の配線７３が接続された一端（図３中上方）とは異なる他端（図３中下方）は、補巻線５７に接続される（配線８０参照）。電源配線Ｕに接続される配線７２にはプロテクタ８６が設けられている。配線７２は、分岐されて主巻線５６と補巻線５７とに接続される。こうした構成により、コンデンサ４１が補巻線５７と電気的に直列に接続され、ステータ５１の主巻線５６と、コンデンサ４１及び補巻線５７とが外部電源に対して電気的に並列に接続される。
【００２４】
［アレスタ及びコンデンサの構成］
図４は、第１実施形態のアレスタ及びコンデンサを示す図である。図５及び図６は、第１実施形態のアレスタ及びコンデンサを別々に示す図であり、図５はコンデンサを示しており、図６はアレスタを示している。図４に示すように、アレスタ４４とコンデンサ４１とを合わせた構成は、全体的に肉厚の環状（円筒状）となっている。これにより、限られたスペースのステータ室３１にアレスタ４４及びコンデンサ４１を好適に配置することができる。また、第１実施形態のアレスタ４４とコンデンサ４１とは、別々の部材で構成されている。
【００２５】
図４、図５に示すように、本実施形態のコンデンサ４１は、周方向における一部が切り欠かれた環状である。そして、図４、図６に示すように、アレスタ４４は、コンデンサ４１が切り欠かれている領域に設けられる。本実施形態のアレスタ４４は、電気配線を含むコネクタ端子部７４に一体化されて含まれている。図４、図６に示す例では、コネクタ端子部７４は、電気配線の一部とアレスタ４４とを収容する樹脂等で形成されたアレスタケーシング７５を有する。このアレスタケーシング７５は、コンデンサ４１における切り欠かれた領域に対応する形状となっている。なお、図４、図６に示す例では、アレスタ４４
は、アレスタケーシング７５に内蔵されているが、こうした例に限定されず、例えばアレスタ４４はアレスタケーシング７５の上面または下面に設けられてもよい。また、本実施形態では、コネクタ端子部７４は、電源コネクタ端子７１と別の部材としたが、コネクタ端子部７４と電源コネクタ端子７１とは一体化されていてもよい。
【００２６】
コネクタ端子部７４は、電源配線とグラウンドとに電気的に接続される端子（配線７２，７３，７９の一部を構成）をアレスタケーシング７５の上面に備える。また、コネクタ端子部７４は、コンデンサ４１と電源配線とに電気的に接続される端子（配線７２，７３，８０の一部を構成）をアレスタケーシング７５の下面に備える。ここで、配線７２，７３，７９，８０は、図３に示す配線７２，７３，７９，８０に対応する。換言すれば、コネクタ端子部７４は、電源配線とグラウンドとに接続される電源接続部を上面に有し、ステータ５１に電気的に接続される端子部を下面に有する。このようにコネクタ端子部７４がステータ５１に接続される端子部を下面に有することにより、ステータ室３１におけるコネクタ端子部７４とステータ５１とを容易に電気的に接続することができる。また、コネクタ端子部７４が電源供給部を上面に有することにより、コネクタ端子部７４と外部電源およびグラウンドとを電気的に容易に接続することができる。よって、こうした構成により、キャンドモータ１０の組み立てを容易にすることができる。
【００２７】
また、図５及び図６に示す例では、コネクタ端子部７４は、コンデンサ４１と電気的に接続するための接続部７６をアレスタケーシング７５の側面に有し、コンデンサ４１は、コネクタ端子部７４と電気的に接続するための接続部４２を側面に有する。こうした構成により、コンデンサ４１とコネクタ端子部７４とを組み合わせて配置したときに、コンデンサ４１をコネクタ端子部７４と電気的に接続させることができ、キャンドモータ１０の組み立てを容易にすることができる。なお、図５及び図６に示す例では、コネクタ端子部７４とコンデンサ４１との周方向における一方の側面に接続部７６，４２が設けられているが、こうした例に限定されない。例えば、接続部７６，４２がコネクタ端子部７４とコンデンサ４１との周方向における両方の側面に設けられてもよい。また、コネクタ端子部７４とコンデンサ４１とは、互いの側面を介して電気的に接続されるものに限定されず、上面または下面を介して電気的に接続されてもよいし、コンデンサ４１からコネクタ端子部７４に伸びる配線を通じて電気的に接続されてもよい。
【００２８】
なお、コネクタ端子部７４とコンデンサ４１とは、互いを機械的に接続するための接続部を有してもよい。例えば、コネクタ端子部７４が第１の嵌合部を有し、コンデンサ４１が第１の嵌合部に対応する第２の嵌合部を有してもよい。また、コネクタ端子部７４とコンデンサ４１とは、ビスなどの締結具で互いに接続されて一体化されてもよいし、接着材または樹脂モールドなどによって互いに固定されて一体化されてもよい。
【００２９】
図７は、第２実施形態のアレスタとコンデンサとを示す図である。なお、図７では、各構成の模式的な電気的な接続について併せて示している。図７に示すコンデンサ４１とアレスタ４４とは、図４に示す例と同様に、全体的に肉厚の環状（円筒状）である。ただし、図５に示す例では、コンデンサ４１が周方向において切り欠かれておらず全体的に肉厚の環状（円筒状）である点で、図４に示す例と異なる。図７に示すように、第２の実施形態では、円筒軸ＣＡ方向に伸びる貫通孔がコンデンサ４１に形成されており、その貫通孔に電気配線が挿通されると共にアレスタ４４が設けられている。そして、貫通孔には樹脂などが充填され、電気配線およびアレスタ４４がコンデンサ４１と一体化されている。こうした図７に示す構成においても、図４に示すコンデンサ４１及びアレスタ４４と同様に使用することができ、同様の効果を奏することができる。
【００３０】
また、図７に示す例では、制御基板を有する制御部９０がコンデンサ４１の内部に設けられている。制御部９０としては、ＣＰＵ（Central Processing Unit）を中心としたマ
イクロプロセッサを構成する回路基板、又は専用の回路基板などを採用することができる。制御部９０は、キャンドモータ１０を制御するために設けられている。一例として、制御部９０は、所定条件に応じてコンデンサ４１及び補巻線５７への電力供給を遮断するように構成されるとよい。例えば、制御部９０は、図示しない温度センサからの検出信号又はバイメタルを通じた信号等に基づいて、コンデンサ４１、ステータ５１、又はキャンドモータ１０のその他の構成の温度が所定温度以上に至ったときに、コンデンサ４１及び補巻線５７への電力供給を遮断するように構成される。ただし、こうした例に限定されず、制御部９０は、キャンドモータ１０の運転情報に関する情報を取得してキャンドモータ１０の制御を実行してもよい。また、制御部９０は、キャンドモータ１０の運転情報に関する情報を取得し、取得した情報を電力線通信（ＰＬＣ）等により外部に送信するように構成されてもよい。なお、図７に示す例では、制御部９０が、コンデンサ４１に内蔵されるものとしたが、こうした例には限定されない。例えば、制御部９０は、図４に示す例において、コネクタ端子部７４と一体化されてもよい。また、制御部９０は、コンデンサ４１の上方または下方に取り付けられてもよい。このように制御部９０がコンデンサユニット４０と一体化されることにより、キャンドモータ１０の小型化を図ることができる。
【００３１】
なお、図４〜図６に示す例では、コンデンサ４１が、周方向における一部が切り欠かれた環状であるものとし、図７に示す例では、アレスタ４４がコンデンサ４１の内部に配置されものとしたが、こうした例には限定されない。例えば、コンデンサ４１に、外周側と内周側との一方に連通すると共に内周側と外周側との他方には連通しない円筒軸ＣＡ方向に伸びる切り欠きが形成され、当該切り欠かれた領域にアレスタ４４が設けられてもよい。また、図４〜図７に示す例では、アレスタ４４とコンデンサ４１とが、同じ高さに位置するものとしたが、コンデンサ４１とアレスタ４４とがステータ室３１に設けられればよく、こうした例に限定されない。例えば、アレスタ４４は、コンデンサ４１の上面または下面に取り付けられてもよいし、コンデンサ４１から離れた位置でステータ室３１に設けられてもよい。
【００３２】
上記した実施形態では、コンデンサ４１及びアレスタ４４がステータ室３１におけるステータ５１の上方に配置されるものとした。しかし、こうした例に限定されず、コンデンサ４１とアレスタ４４との少なくとも一方は、ステータ室３１におけるステータ５１の下方に配置されてもよい。
【００３３】
以上説明したキャンドモータ１０及び液中ポンプ２００によれば、ステータ室３１にアレスタ４４とコンデンサ４１とが配置されている。これにより、キャンドモータ１０における限られたスペースに、アレスタ４４とコンデンサ４１とを好適に配置することができ、キャンドモータ１０の小型化を図ることができる。そして、アレスタ４４を備えることにより、コンデンサ４１及びステータ５１をサージ電圧に対して保護することができる。
【００３４】
以上説明した本実施形態は、以下の形態としても記載することができる。
［形態１］形態１によれば、液中ポンプを駆動するためのキャンドモータが提案され、前記キャンドモータは、円筒状のモータフレームと、前記モータフレームの内部に設置される円筒状のキャンと、前記モータフレームと前記キャンとの間のステータ室に配置されるステータと、前記ステータ室に配置されるコンデンサと、前記ステータ室に配置されるアレスタと、を備える。形態１によれば、アレスタによってサージ電圧に対する保護機能を有する。そして、アレスタがステータ室に配置されていることにより、簡易な構造でキャンドモータの小型化を図ることができる。
【００３５】
［形態２］形態２によれば、形態１のキャンドモータにおいて、前記アレスタと前記コンデンサとは、互いに少なくとも一部が同じ高さに位置する。形態２によれば、限られたステータ室において好適にアレスタとコンデンサとを配置することができる。
【００３６】
［形態３］形態３によれば、形態１又は２のキャンドモータにおいて、前記コンデンサは、周方向における一部が切り欠かれた環状であり、前記アレスタは、前記コンデンサが切り欠かれている領域に設けられる。
【００３７】
［形態４］形態４によれば、形態１又は２のキャンドモータにおいて、前記コンデンサは、環状であり、前記アレスタは、前記コンデンサの内部に挿通される。
【００３８】
［形態５］形態５によれば、形態１から４のキャンドモータにおいて、前記アレスタは、電力供給用のコネクタ端子部と一体化されている。形態５によれば、キャンドモータの部品点数を減らすことができると共に、キャンドモータの組み立てを容易にすることができる。
【００３９】
［形態６］形態６によれば、形態５のキャンドモータにおいて、前記コンデンサは、前記コネクタ端子部に固定される。形態６によれば、キャンドモータの部品点数を減らすことができると共に、キャンドモータの組み立てを容易にすることができる。
【００４０】
［形態７］形態７によれば、形態１から６のキャンドモータにおいて、前記アレスタと前記コンデンサとは、一体化されている。形態７によれば、キャンドモータの部品点数を減らすことができると共に、キャンドモータの組み立てを容易にすることができる。
【００４１】
［形態８］形態８によれば、形態７のキャンドモータにおいて、前記アレスタと前記コンデンサとの両方を支持する支持台を更に備える。形態８によれば、アレスタとコンデンサとの位置決めを容易にすることができ、キャンドモータの組み立てを容易にすることができる。
【００４２】
［形態９］形態９によれば、形態１から８のキャンドモータにおいて、前記ステータ室に配置され、前記アレスタと前記コンデンサとの少なくとも一方と一体化された制御基板を有する制御部を備える。形態９によれば、ステータ室に制御部を配置することができ、キャンドモータの小型化を図ることができる。
【００４３】
［形態１０］形態１０によれば、形態１から９のキャンドモータにおいて、前記アレスタと前記コンデンサとは、前記ステータの上方に設けられる。
【００４４】
［形態１１］形態１１によれば、形態１から１０のキャンドモータにおいて、前記コンデンサと前記ステータとの間に配置される断熱材を更に備える。形態１１によれば、ステータからの熱がコンデンサに影響することを抑制できる。
【００４５】
［形態１２］形態１２によれば、形態１から１１の何れか１つに記載のキャンドモータと、当該キャンドモータに連結されるポンプとを備える、液中ポンプが提案される。形態１２によれば、上記したキャンドモータと同様の効果を奏することができる。
【００４６】
以上、本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその均等物が含まれることはもちろんである。また、上述した課題の少なくとも一部を解決できる範囲、または、効果の少なくとも一部を奏する範囲において、実施形態および変形例の任意の組み合わせが可能であり、特許請求の範囲および明細書に記載された各構成要素の任意の組み合わせ、または、省略が可能である。
【符号の説明】
【００４７】
１０…キャンドモータ
１１…モータフレーム
２１…キャン
３１…ステータ室
４０…コンデンサユニット
４１…コンデンサ
４４…アレスタ
４８…支持台
４９…断熱材
５０…端子部
５１…ステータ
５２…ステータコア
５５…ステータ巻線
５６…主巻線
５７…補巻線
６１…ロータ
６３…出力軸
７１…電源コネクタ端子
７２，７３，７９，８０…配線
７４…コネクタ端子部
７５…アレスタケーシング
９０…制御部
２００…液中ポンプ
５００…液中ポンプ装置
ＣＡ…円筒軸
【図１】
2020103011.tif 000003
【図２】
2020103011.tif 000004
【図３】
2020103011.tif 000005
【図４】
2020103011.tif 000006
【図５】
2020103011.tif 000007
【図６】
2020103011.tif 000008
【図７】
2020103011.tif 000009